(57)【要約】【課題】見栄えを良くすることを可能とした車両用灯具を提供する。【解決手段】光源２から出射された光Ｌを導光体３の基端３ａ側から内部へと入射し、導光体３の先端側に向けて光Ｌを導光させると共に、導光体３の背面３ｂ側に設けられた複数の反射カット５で反射された光Ｌを導光体３の正面３ｃ側から外部へと出射することによって、導光体３の正面３ａ側に設けられた発光部を発光させる車両用灯具１であって、導光体３の先端部３０は、当該先端部３０から出射される光Ｌを拡散させる形状を有する。【選択図】図１
2020205155.tif 000002
【特許請求の範囲】
【請求項１】
光源と、
前記光源から出射された光を導光させる導光体とを備え、
前記光源から出射された光を前記導光体の基端側から内部へと入射し、前記導光体の先端側に向けて光を導光させると共に、前記導光体の背面側に設けられた複数の反射カットで反射された光を前記導光体の正面側から外部へと出射することによって、前記導光体の正面側に設けられた発光部を発光させる車両用灯具であって、
前記導光体の先端部は、当該先端部から出射される光を拡散させる形状を有することを特徴とする車両用灯具。
【請求項２】
前記導光体の先端部は、その先端側に向かって、その正面側が背面側へと傾斜した傾斜部と、前記傾斜部よりも先端側に向かって突出された突出部とを有し、
前記突出部は、その先端と背面との間に亘って凸状に湾曲した形状を有することを特徴とする請求項１に記載の車両用灯具。
【請求項３】
前記突出部の背面が突出した形状を有することを特徴とする請求項２に記載の車両用灯具。
【請求項４】
前記傾斜部は、凹状に湾曲した形状を有することを特徴とする請求項２又は３に記載の車両用灯具。
【請求項５】
少なくとも前記発光部を除く前記導光体の先端部を覆うように、前記導光体の正面側に配置された遮光部材を備えることを特徴とする請求項１〜４の何れか一項に記載の車両用灯具。
【請求項６】
前面が開口したハウジングと、前記ハウジングの開口を覆うレンズカバーとにより構成される灯体の内側に、前記光源と、前記導光体とが配置されていることを特徴とする請求項１〜５の何れか一項に記載の車両用灯具。
【発明の詳細な説明】
【技術分野】
【０００１】
本発明は、車両用灯具に関する。
【背景技術】
【０００２】
従来より、車両に搭載される車両用灯具として、発光ダイオード（ＬＥＤ）などの光源と、インナーレンズなどの導光体とを組み合わせたものが知られている（例えば、下記特許文献１を参照。）。
【０００３】
このような車両用灯具では、光源から出射された光を導光体の基端側の端面から導光体の内部へと入射し、導光体の内部で反射を繰り返しながら、導光体の先端側に向けて光を導光させる。また、導光体の背面側に設けられた複数の反射カットで反射された光を導光体の正面側から外部へと出射する。これにより、導光体の正面側を車両用灯具の発光部として発光させることが可能である。
【先行技術文献】
【特許文献】
【０００４】
【特許文献１】特開２０１７−１９５０５１号公報
【発明の概要】
【発明が解決しようとする課題】
【０００５】
ところで、上述した車両用灯具では、導光体の先端側に向けて導光される光の一部が漏れ光として導光体の先端側から正面側に向けて出射されることがある。漏れ光が発生した場合、この漏れ光が発生した箇所が周囲に比べて強く光って見える、いわゆる点光りによって、車両用灯具の発光部における見栄えが悪くなるといった問題があった。
【０００６】
このため、従来の車両用灯具では、導光体の先端部をエクステンションなどの遮光部材で覆って、漏れ光を遮光することが行われている。また、上記特許文献１に記載の発明では、点光りの発生を防ぐため、導光体の先端面を背面側に向かって傾斜した傾斜面とし、この傾斜面に入射した光を導光体の背面側に向かって反射させる構成となっている。
【０００７】
一方、このような構成とした場合、導光体の背面側から外部へと出射された光が導光体の背面と対向するハウジングなどの樹脂部材に反射して、再び導光体の背面側から内部へと入射することがある。このような光は、遮光部材で覆った箇所とは別の位置から漏れ光として出射される可能性がある。その結果、導光体の先端部からの漏れ光が点光りとして見えてしまう虞れがある。
【０００８】
本発明は、このような従来の事情に鑑みて提案されたものであり、見栄えを良くすることを可能とした車両用灯具を提供することを目的とする。
【課題を解決するための手段】
【０００９】
上記目的を達成するために、本発明は以下の手段を提供する。
〔１〕  光源と、
前記光源から出射された光を導光させる導光体とを備え、
前記光源から出射された光を前記導光体の基端側から内部へと入射し、前記導光体の先端側に向けて光を導光させると共に、前記導光体の背面側に設けられた複数の反射カットで反射された光を前記導光体の正面側から外部へと出射することによって、前記導光体の正面側に設けられた発光部を発光させる車両用灯具であって、
前記導光体の先端部は、当該先端部から出射される光を拡散させる形状を有することを特徴とする車両用灯具。
〔２〕  前記導光体の先端部は、その先端側に向かって、その正面側が背面側へと傾斜した傾斜部と、前記傾斜部よりも先端側に向かって突出された突出部とを有し、
前記突出部は、その先端と背面との間に亘って凸状に湾曲した形状を有することを特徴とする前記〔１〕に記載の車両用灯具。
〔３〕  前記突出部の背面が突出した形状を有することを特徴とする前記〔２〕に記載の車両用灯具。
〔４〕  前記傾斜部は、凹状に湾曲した形状を有することを特徴とする前記〔２〕又は〔３〕に記載の車両用灯具。
〔５〕  少なくとも前記発光部を除く前記導光体の先端側を覆うように、前記導光体の正面側に配置された遮光部材を備えることを特徴とする前記〔１〕〜〔４〕の何れか一項に記載の車両用灯具。
〔６〕  前面が開口したハウジングと、前記ハウジングの開口を覆うレンズカバーとにより構成される灯体の内側に、前記光源と、前記導光体とが配置されていることを特徴とする前記〔１〕〜〔５〕の何れか一項に記載の車両用灯具。
【発明の効果】
【００１０】
以上のように、本発明によれば、見栄えを良くすることを可能とした車両用灯具を提供することが可能である。
【図面の簡単な説明】
【００１１】
【図１】本発明の一実施形態に係る車両用灯具の概略構成を示す断面図である。
【図２】導光体の先端部における光の光路を示す断面図である。
【発明を実施するための形態】
【００１２】
以下、本発明の実施形態について、図面を参照して詳細に説明する。
なお、以下の説明で用いる図面においては、各構成要素を見やすくするため、構成要素によって寸法の縮尺を異ならせて示すことがあり、各構成要素の寸法比率などが実際と同じであるとは限らない。
【００１３】
本発明の一実施形態として、例えば図１及び図２に示す車両用灯具１について説明する。
なお、図１は、車両用灯具１の概略構成を示す断面図である。図２は、導光体３の先端部３０における光Ｌの光路を示す断面図である。
【００１４】
また、以下に示す図面では、ＸＹＺ直交座標系を設定し、Ｘ軸方向を車両用灯具１の前後方向（長さ方向）、Ｙ軸方向を車両用灯具１の左右方向（幅方向）、Ｚ軸方向を車両用灯具１の上下方向（高さ方向）として、それぞれ示すものとする。
【００１５】
本実施形態の車両用灯具１は、図１に示すように、車両（図示せず。）の後端側の両コーナー部に搭載されるリアコンビネーションランプのうち、テールランプを構成するものである。テールランプは、リアコンビネーションランプを構成する灯体１００の内側に配置される。灯体１００は、前面が開口したハウジング１０１と、ハウジング１０１の開口を覆うレンズカバー１０２とにより構成される。
【００１６】
なお、以下の説明において、「前」「後」「左」「右」「上」「下」との記載は、特に断りのない限り、車両用灯具１を正面（車両後方）から見たときのそれぞれの方向を意味するものとする。したがって、車両を正面（車両前方）から見たときのそれぞれの方向とは、前後左右を逆にした方向となっている。
【００１７】
本実施形態の車両用灯具１は、灯体１００の内側に、光Ｌを出射する光源２と、光源２から出射された光Ｌを導光させる導光体３と、導光体３の先端部３０を覆うエクステンション４とが配置された構成を有している。
【００１８】
光源２は、光Ｌとして、赤色光を発するＬＥＤからなる。また、ＬＥＤには、車両照明用の高出力（高輝度）タイプのもの（例えばＳＭＤ ＬＥＤなど。）を使用している。光源５は、このＬＥＤを駆動する駆動回路が設けられた回路基板（図示せず。）に実装されて、光Ｌを放射状に出射する。
【００１９】
なお、光源２については、上述したＬＥＤ以外にも、レーザーダイオード（ＬＤ）などの発光素子を用いることができる。また、光源２の数については、１つに限らず複数であってもよい。複数の光源２を用いる場合には、導光体３の基端側の端部に沿って、複数の光源２を並べて配置する。
【００２０】
また、本実施形態では、上述した回路基板にＬＥＤが実装された構成となっているが、ＬＥＤが実装された基板（実装基板）と、駆動回路が設けられた基板（回路基板）とを別々に配置し、これら実装基板と回路基板とをハーネスと呼ばれる配線コードを介して電気的に接続し、ＬＥＤが発する熱から駆動回路を保護する構成としてもよい。
【００２１】
導光体３は、インナーレンズとして、平板状の光透過性部材からなる。光透過性部材には、例えばポリカーボネイトやアクリル等の透明樹脂やガラスなど、空気よりも屈折率の高い材質のものを用いることができる。
【００２２】
また、導光体３は、光源２と対向する基端側から先端側に向かって、車両幅方向に延在した形状を有している。なお、導光体３の形状については、このような平板形状のものに限らず、棒状のものなど適宜変更することが可能である。また、導光体３の一部が湾曲又は屈曲した形状であってもよい。
【００２３】
車両用灯具１では、光源２から出射された光Ｌを導光体３の基端側の端面（以下、「入射面」という。）３ａから導光体３の内部へと入射し、導光体３の内部で反射を繰り返しながら、導光体３の先端側に向けて光Ｌを導光させる。また、導光体３の背面（以下、「反射面」という。）３ｂ側に設けられた複数の反射カット５で反射された光Ｌを導光体３の正面（以下、「出射面」という。）３ｃ側から導光体３の外部へと出射する。これにより、上述したテールランプの発光部として、導光体３の出射面３ｃを赤色発光させることが可能である。
【００２４】
入射面３ａは、平面に限らず、光源２から放射状に出射された光Ｌを平行化又は集光しながら、導光体３の内部へと入射する形状としてもよい。例えば、光源２と対向する部分の中央に位置して、光源２から出射された光Ｌの一部が入射する凸面状の第１の集光入射面と、第１の集光入射面の周囲を囲む位置から光源２側に突出した部分の内周側に位置して、光源２から出射された光Ｌの一部が入射する略円筒状の第２の集光入射面と、突出した部分の外周側に位置して、第２の集光入射面から入射した光Ｌを反射する截頭円錐状の集光反射面とを有して、第１の集光入射面から入射した光Ｌを光軸寄りに集光させ、第２の集光入射面から入射した光Ｌを集光反射面で反射させることによって光軸寄りに集光させる構成としてもよい。
【００２５】
複数の反射カット５は、導光体３の反射面３ｂに入射した光Ｌを導光体３の出射面３ｃに対して臨界角未満となる角度（導光体３の出射面３ｃから光Ｌが透過する角度）で反射させるものであればよく、その形状や大きさ、数等について、特に限定されるものではない。
【００２６】
例えば、本実施形態において、複数の反射カット５は、断面略三角形となるプリズムカットが導光体３の延在方向に並ぶことによって構成されている。また、本実施形態では、複数の反射カット５の隣り合う間隔が等しくなっている。一方、複数の反射カット５は、テールランプの発光部（出射面３ｃ）をより均一に発光させるため、この発光部の形状に合わせて、導光体３の出射面３ｃ側から出射される光Ｌの拡散度合いを制御してもよい。具体的には、導光体３の基端側から先端側に向かって、複数の反射カット５の隣り合う間隔が漸次狭くなっていてもよい。
【００２７】
なお、車両用灯具１では、導光体３の背面（反射面３ｂ）と対向するリフレクタを設けた構成としてもよい。これにより、導光体の背面側から外部へと出射された光Ｌをリフレクタで反射して、再び導光体３の背面側から内部へと入射させることが可能である。
【００２８】
エクステンション４は、導光体３の先端部３０から出射される漏れ光を遮光する遮光部材である。エクステンション４は、少なくともテールランプの発光部（出射面３ｃ）を除く導光体３の先端部３０を覆うように、導光体３の正面側に配置されている。
【００２９】
ところで、本実施形態の車両用灯具１において、導光体３の先端部３０は、当該先端部３０から出射される光Ｌを拡散させる形状を有している。具体的に、導光体３の先端部３０は、その先端側に向かって、その正面側が背面側へと傾斜した傾斜部３１と、傾斜部よりも先端側に向かって突出された突出部３２とを有している。
【００３０】
傾斜部３１は、全体として凹状に湾曲した曲面Ｒ１を有している。また、導光体３の前面と傾斜部３１との間は、凸状に湾曲した曲面Ｒ２により連続的に接続されている。この曲面Ｒ２により前方に出射される光Ｌが拡散され、導光体３の先端部３０から抜ける光Ｌが点光りとして視認されることを低減している。一方、傾斜部３１と突出部３２との間は、凸状に湾曲した曲面Ｒ３により連続的に接続されている。
【００３１】
突出部３２は、その背面が突出した凸面３２ａを有している。すなわち、突出部３２は、導光体３の反射面３ｂの延長ラインよりも後方に突出した形状を有している。また、突出部３２は、その先端と背面との間に亘って凸状に湾曲した曲面Ｒ４を有している。
【００３２】
導光体３の先端部３０では、図２に示すように、導光体３の先端側に向かって導光される光Ｌのうち、当該先端部３０に入射した光Ｌを拡散しながら、導光体３の外部へと出射することが可能である。
【００３３】
これにより、本実施形態の車両用灯具１では、導光体３の先端部３０において点光りが発生することを抑制しながら、より均一に発光させることが可能である。また、先端部３０から出射した光Ｌは、拡散されるため、エクステンション４、ハウジング１０１等の部材により導光体３の出射方向に反射されてしまったとしても、点光りとして視認されることを低減している。
【００３４】
また、導光体３の先端部３０では、その先端側に向かって、その正面側が背面側へと傾斜した傾斜部３１によって、その正面側から出射される光Ｌを低減することが可能である。
【００３５】
さらに、傾斜部３１（曲面Ｒ１）と対向した部分にエクステンション４を配置することで、このエクステンション４と先端部３０との間に形成される隙間を小さくすることが可能である。また、エクステンション４の先端が、後方に向かって傾斜している傾斜部３１と対向していることで、エクステンション４と導光体３とを近接して配置することが可能である。これにより、導光体３の先端部３０から出射される光Ｌをエクステンション４により適切に遮光することが可能である。
【００３６】
また、傾斜部３１自体が曲面Ｒ１を有しているため、傾斜部３１から抜ける光Ｌに対しても拡散効果が生じる。したがって、傾斜部３１から抜ける光Ｌは、拡散されるため、エクステンション４、ハウジング１０１等の部材により導光体３の出射方向に反射されてしまったとしても、点光りとして視認されることを低減している。
【００３７】
また、導光体３の先端部３０では、傾斜部３１よりも先端側に向かって突出された突出部３２のうち、その先端と背面との間に亘って凸状に湾曲した凸部３２ａ（曲面Ｒ４）が設けられている。また、凸状となるまで凸部３２ａ（曲面Ｒ４）を大きく湾曲させることで、背面側に対する光Ｌの拡散効果を高めている。この場合、凸部３２ａにより光Ｌを拡散しながら、先端部３０の背面側から光Ｌを出射することが可能である。これにより、先端部３０の正面側から出射される光Ｌによる点光りをより低減することが可能である。
【００３８】
以上のように、本実施形態の車両用灯具では、導光体３の先端部３０に点光りが発生することを防止しながら、見栄えを良くすることが可能である。
【００３９】
なお、本発明は、上記実施形態のものに必ずしも限定されるものではなく、本発明の趣旨を逸脱しない範囲において種々の変更を加えることが可能である。
例えば、本発明が適用される車両用灯具については、上述したテールランプに限らず、例えば、車両用前照灯（ヘッドランプ）、車幅灯（ポジションランプ）、補助前照灯（サブヘッドランプ）、前部（後部）霧灯（フォグランプ）、昼間点灯用ランプ（ＤＲＬ）、リッドランプ、バックランプ、方向指示器（ウィンカーランプ）など、光源と導光体とを備えた車両用灯具に対して本発明を幅広く適用することが可能である。また、光源が発する光の色については、上述した赤色光に限らず、白色光や橙色光など、その光源の用途に応じて適宜変更することも可能である。
【符号の説明】
【００４０】
１…車両用灯具  ２…光源  ３…導光体  ３ａ…入射面  ３ｂ…反射面  ３ｃ…出射面（発光部）  ４…エクステンション（遮光部材）  ５…反射カット  ３０…先端部  ３１…傾斜部  ３２…突出部  １００…灯体  １０１…ハウジング  １０２…レンズカバー  Ｌ…光
【図１】
2020205155.tif 000003
【図２】
2020205155.tif 000004